(57)【要約】【課題】  簡便な構造で、安全性、清掃性及び耐久性を満たし、安価な製造コストで、快適な入浴を至現出来る浴室用可動ヘッドレストを提供する。【解決手段】   浴槽１内の内側面部１ｄの傾斜角度と略一致する傾斜角度を有する装着面部１２ａを有して、浴槽１の上部開口部１ａ周縁に位置する框部１ｂの上方に装着される台座部材１２を設けて、装着面部１２ａに、後頭部支持部１３ａを有するヘッドレスト部材１３を装着する浴室用可動ヘッドレストである。  装着面部１２ａには、上下方向に沿って所定間隔を置いて、複数の被係合凹部１４，１４を設けると共に、ヘッドレスト部材１３の対向面部１３ｂには、何れかの被係合凹部１４に係合されることにより、後頭部支持部１３ａを所望の高さに保持させる係合突起部１５が凸設形成されている。【選択図】図１
2006081628.tif 000002
【特許請求の範囲】
【請求項１】
浴槽内の内側面部の傾斜角度と略一致する傾斜角度を有する装着面部を有して、該浴槽
の上部開口部周縁に位置する框部の上方に装着される台座部材を設けて、この台座部材の
前記装着面部に、後頭部支持部を有するヘッドレスト部材を装着する浴室用可動ヘッドレ
ストであって、
前記装着面部には、上下方向に沿って所定間隔を置いて、複数の被係合凹部を設けると
共に、前記ヘッドレスト部材のうち、前記後頭部支持部の裏面側に位置する前記装着面部
との対向面部には、前記何れかの被係合凹部に係合されることにより、該後頭部支持部を
所望の高さに保持させる係合突起部を凸設形成したことを特徴とする浴室用可動ヘッドレ
スト。
【請求項２】
前記ヘッドレスト部材の後頭部支持部及び前記係合突起部を柔軟性を有する材料で、一
体に形成したことを特徴とする請求項１記載の浴室用可動ヘッドレスト。
【請求項３】
複数並設される各後頭部支持部間に、両側に位置する各後頭部支持部の接続角度を変更
可能な屈曲部を各々設けると共に、前記後頭部支持部の裏面側には、被吸着面部に吸着可
能な吸盤部材を設けたことを特徴とする浴室用可動ヘッドレスト。  
【請求項４】
前記後頭部支持部の裏面側と、前記被吸着面部との間に介在される屈曲補助部材を有す
ることを特徴とする請求項３記載の浴室用可動ヘッドレスト。
【請求項５】
浴槽の框部上方に延設される浴室壁部を被吸着面部として、前記吸盤部材を吸着させて
なることを特徴とする請求項３又は４記載の浴室用可動ヘッドレスト。
【請求項６】
浴槽内の内側面を被吸着面部として、前記吸盤部材を吸着させてなることを特徴とする
請求項３又は４記載の浴室用可動ヘッドレスト。
【発明の詳細な説明】
【技術分野】
【０００１】
この発明は、入浴者の身体に合わせて高さ調節が可能な浴室用可動ヘッドレストに関す
るものである。
【背景技術】
【０００２】
従来、図８及び図９に示すような浴室用ヘッドレストが、知られている（例えば、特許
文献１等参照）。
【０００３】
まず、構成から説明すると、この従来の浴室用ヘッドレストでは、浴槽１の上部開口部
１ａを開閉塞可能とするように、浴槽用巻き蓋２が設けられている。
【０００４】
この浴槽用巻き蓋２には、多数の折曲部３…が、横幅方向に沿って一定間隔で並設形成
されている。
【０００５】
また、この浴槽用巻き蓋２には、一端側にヘッドレスト４が装着されている。
【０００６】
そして、この浴槽用巻き蓋２が、前記浴槽１の框部１ｂの一側端側１ｃに巻き重ねられ
ると、前記ヘッドレスト４が、上面に露出する様に構成されている。
【０００７】
次に、この浴室用ヘッドレストの作用について説明する。
【０００８】
このように構成された浴室用ヘッドレストでは、前記浴槽用巻き蓋２を巻いて、前記浴
槽１の框部１ｂの一側端側１ｃに位置させると、巻き重ねられたこの浴槽用巻き蓋２に装
着されている前記ヘッドレスト４が、上面に露出する。
【０００９】
入浴者Ｍは、図９に示すように、このヘッドレスト４に頭部Ｈを載せることが可能とな
る。
【００１０】
従って、後頭部ＨＢの下部がこのヘッドレスト４に支持されて、半身浴やその他の入浴
時に快適性を向上させることができる。
【特許文献１】特開２０００−７３４１７号公報（図１，図２、段落００１０乃至００１８）
【発明の開示】
【発明が解決しようとする課題】
【００１１】
しかしながら、このような従来の浴室用ヘッドレスト４では、入浴者Ｍの体格差によっ
て、図９に示すように、後頭部ＨＢの下部が、前記ヘッドレスト４の位置に適合しない虞
があった。
【００１２】
このため、ヘッドレスト４の位置を一定の設定間隔で、可変出来るようにしたいといっ
た要望があった。
【００１３】
しかしながら、このように、位置を可変出来るヘッドレストでは、可変構造が複雑とな
り、浴室で用いる為の安全性、清掃性及び耐久性を満たすことは困難であった。
【００１４】
また、浴槽１の框部１ｂの一側端側１ｃに、大きな幅Ｗの設置スペースが必要とされる
。
【００１５】
このため、浴槽１の長手方向に限りのある浴室のスペースの中では、浴槽１の内部容積
が減少して狭くなるといった問題があった。
【００１６】
そこで、この発明は、簡便な構造で、安全性、清掃性及び耐久性を満たし、安価な製造
コストで、快適な入浴を至現出来る浴室用可動ヘッドレストを提供することを課題として
いる。
【課題を解決するための手段】
【００１７】
上記目的を達成するために、本願発明の請求項１記載のものは、浴槽内の内側面部の傾
斜角度と略一致する傾斜角度を有する装着面部を有して、該浴槽の上部開口部周縁に位置
する框部の上方に装着される台座部材を設けて、この台座部材の前記装着面部に、後頭部
支持部を有するヘッドレスト部材を装着する浴室用可動ヘッドレストであって、
前記装着面部には、上下方向に沿って所定間隔を置いて、複数の被係合凹部を設けると
共に、前記ヘッドレスト部材のうち、前記後頭部支持部の裏面側に位置する前記装着面部
との対向面部には、前記何れかの被係合凹部に係合されることにより、該後頭部支持部を
所望の高さに保持させる係合突起部を凸設形成した浴室用可動ヘッドレストを特徴として
いる。
【００１８】
また、請求項２に記載されたものは、前記ヘッドレスト部材の後頭部支持部及び前記係
合突起部を柔軟性を有する材料で、一体に形成した請求項１記載の浴室用可動ヘッドレス
トを特徴としている。
【００１９】
そして、請求項３に記載されたものは、複数並設される各後頭部支持部間に、両側に位
置する各後頭部支持部の接続角度を変更可能な屈曲部を各々設けると共に、前記後頭部支
持部の裏面側には、被吸着面部に吸着可能な吸盤部材を設けた浴室用可動ヘッドレストを
特徴としている。
【００２０】
更に、請求項４に記載されたものは、前記後頭部支持部の裏面側と、前記被吸着面部と
の間に介在される屈曲補助部材を有する請求項３記載の浴室用可動ヘッドレストを特徴と
している。
【００２１】
また、請求項５に記載されたものは、浴槽の框部上方に延設される浴室壁部を被吸着面
部として、前記吸盤部材を吸着させてなる請求項３又は４記載の浴室用可動ヘッドレスト
を特徴としている。
【００２２】
そして、請求項６に記載されたものは、浴槽内の内側面を被吸着面部として、前記吸盤
部材を吸着させてなる請求項３又は４記載の浴室用可動ヘッドレストを特徴としている。
【発明の効果】
【００２３】
このように構成された請求項１記載のものは、前記台座部材の装着面部に形成された前
記被係合凹部のうちの何れかに、前記ヘッドレスト部材の対向面部に凸設形成された係合
突起部を係合させると、前記框部よりも上方で、所望の高さ位置に、前記ヘッドレスト部
材を位置させることができる。
【００２４】
このため、入浴者の身体の大きさに適合させて、該ヘッドレスト部材の位置を、可変さ
せて、前記後頭部支持部によって、後頭部の下部等を支持させれば、該入浴者の体格差に
拘わらず、浴槽内で快適な入浴等の姿勢を取らせることができる。
【００２５】
この際、前記装着面部は、前記浴槽内の内側面部の傾斜角度と略一致する傾斜角度を有
しているので、入浴者の身体が、該内側面部から前記装着面部に至るまで、一定の傾斜角
度で、直線状に保持されて、更に、快適な姿勢を取ることが出来る。
【００２６】
また、該ヘッドレスト部材は、前記台座部材から取り外せるので、清掃性が良好で、常
に清潔に保つことが出来る。
【００２７】
更に、請求項２に記載されたものは、前記ヘッドレスト部材の後頭部支持部及び前記係
合突起部が、柔軟性を有する材料で、一体に形成されているので、構造が簡便なものとな
り、安全性，及び耐久性が良好で、しかも、安価に製造出来る。
【００２８】
しかも、前記係合突起部が柔軟性を有しているので、浴室内の水分が多い箇所でも、係
脱着を容易に行うことが出来る。
【００２９】
また、該係合突起部が、前記被係合凹部に係合された状態では、該係合突起部の弾性反
発力によって、該被係合凹部の内側面に、該係合突起部の外側面が弾接して、更に、係合
を強固なものとすることが出来る。
【００３０】
そして、請求項３に記載されたものは、前記屈曲部を屈曲させて、両側に位置する各後
頭部支持部の接続角度を変更すると、入浴者の頭部等を支持するヘッドレスト形状を呈す
るように、前記各後頭部支持部が、任意の高さ位置に膨出される。
【００３１】
また、前記後頭部支持部の裏面側に設けられた吸盤部材を、前記被吸着面部に吸着させ
て、固定することにより、前記屈曲部の屈曲によって形成されたヘッドレスト形状の後頭
部支持部を、所望の高さ位置として固定出来ると共に、前記ヘッドレスト形状をそのまま
の状態で、保持させることができる。
【００３２】
このため、入浴者の身体の大きさに適合させて、該ヘッドレスト部材の固定位置を、可
変させて、前記後頭部支持部によって、後頭部の下部等を支持させれば、該入浴者の体格
差に拘わらず、浴槽内で快適な入浴等の姿勢を取らせることができる。
【００３３】
また、該ヘッドレスト部材は、前記被吸着面部から取り外せるので、清掃性が良好で、
常に清潔に保つことが出来る。
【００３４】
更に、請求項４に記載されたものでは、前記屈曲補助部材が、前記後頭部支持部の裏面
側と、前記被吸着面部との間に介在されて、前記屈曲部の屈曲によって形成されたヘッド
レスト形状の後頭部支持部の膨出量を、可変させることができる。
【００３５】
従って、必要に応じて、前記屈曲補助部材を用いて、更に、快適な入浴姿勢を取らせる
ことが出来る。
【００３６】
また、請求項５に記載されたものは、浴槽の框部上方に延設される浴室壁部に、前記吸
盤部材が吸着されて、前記後頭部支持部が、前記浴室壁部と入浴者の後頭部との間に、介
在されることにより、頭部を保護するクッションとして用いることができる。
【００３７】
更に、請求項６に記載されたものは、浴槽内の内側面に、前記吸盤部材が、吸着されて
固定可能であるので、例えば、入浴者の腰当て等、入浴姿勢を安定させる補助具として用
いることができる。
【発明を実施するための最良の形態】
【００３８】
次に、図面に基づいて、この発明を実施するための最良の実施の形態の浴室用可動ヘッ
ドレストを説明する。
【００３９】
なお、前記従来例と同一乃至均等な部分については同一符号を付して説明する。
【００４０】
図１乃至図７は、この発明の最良の実施の形態の浴室用可動ヘッドレストを示している
。
【００４１】
まず、この実施の形態の浴室用可動ヘッドレストの構成を説明すると、この実施の形態
の浴室用可動ヘッドレストでは、浴室１０内の浴槽１の上部開口１ａ周縁に、一定の幅ｗ
を有して形成される框部１ｂの上方に装着されて、入浴者Ｍの頭部Ｈを支持するものであ
る。
【００４２】
この実施の形態の浴槽１には、入浴者Ｍが、入浴姿勢で腰掛ける腰掛段部１ｅが形成さ
れている。
【実施例１】
【００４３】
図１乃至図３に示すこの発明の実施例１のヘッドレスト１１は、主に、前記框部１ｂの
一側端１ｃの上面部に載置されて、浴室１０の壁部１０ａの内側面１０ｂに添着される側
面視略直角三角形形状の台座部材１２と、この台座部材１２に装着されるヘッドレスト部
材１３とを有して構成されている。
【００４４】
このうち、前記台座部材１２には、前記浴槽１内の内側面部１ｄの傾斜角度θ１と略一
致する傾斜角度θ２を有する装着面部１２ａが設けられている。
【００４５】
この台座部材１２の前記装着面部１２ａには、図１に示すように、前記ヘッドレスト部
材１３を装着するための左，右に一対で、上下方向に沿って複数個、一定間隔を置いて並
設される被係合凹部１４，１４が、形成されている。
【００４６】
この実施例１の被係合凹部１４，１４は、各々正面視略正方形形状を呈して、一定の深
さを有して凹設されている。
【００４７】
また、前記ヘッドレスト部材１３は、側面視略半円の半円柱形形状を呈していて、曲面
側を前記入浴者Ｍの頭部Ｈの後頭部ＨＢの下部を下側から支持するように当接される後頭
部支持部１３ａとしている。
【００４８】
また、この後頭部支持部１３ａの裏面側に位置する前記装着面部１２ａとの対向面部１
３ｂには、前記何れかの高さの被係合凹部１４，１４に係合されることにより、この後頭
部支持部１３ａを所望の高さに保持させる係合突起部１５，１５が凸設形成されている。
【００４９】
この実施例１の係合突起部１５，１５は、正面視略正方形の直方体形状を呈していて、
前記被係合凹部１４，１４の深さ寸法と略同一の高さ方向寸法を有して、左，右に一対、
一定距離離間されて設けられている。
【００５０】
次に、この実施例１の浴室用可動ヘッドレストの作用について説明する。
【００５１】
この実施例１では、図１に示すように、前記台座部材１２の装着面部１２ａに形成され
た前記被係合凹部１４…のうちの何れかの高さの被係合凹部１４，１４に、図２に示す前
記ヘッドレスト部材１３の対向面部１３ｂに凸設形成された係合突起部１５，１５を係合
させると、前記框部１ｂの一側端の上面部よりも上方で、所望の高さ位置に、前記ヘッド
レスト部材１３を位置させることができる。
【００５２】
このため、図３に示すように、入浴者Ｍの身体の大きさに適合させて、このヘッドレス
ト部材１３の位置を、上下方向に可変させて、前記後頭部支持部１３ａによって、後頭部
ＨＢの下部等を支持させれば、入浴者Ｍの体格差に拘わらず、前記腰掛段部１ｅに着座し
た臀部から、この後頭部支持部１３ａによって支持される後頭部ＨＢの下部までの寸法を
調整出来、浴槽１内で快適な入浴等の姿勢を取らせることができる。
【００５３】
この際、前記台座部材１２の装着面部１２ａは、前記浴槽１内の内側面部１ｄの傾斜角
度θ１と略一致する傾斜角度θ２を有しているので、入浴者Ｍの身体が、この内側面部１
ｄから前記装着面部１２ａに至るまで、一定の傾斜角度で、直線状に保持されて、更に、
快適な姿勢を取ることが出来る。
【００５４】
また、このヘッドレスト部材１３は、前記台座部材１２から取り外せるので、清掃性が
良好で、常に清潔に保つことが出来る。
【００５５】
更に、このヘッドレスト部材１３が、前記台座部材１２から取り外された状態でも、前
記装着面部１２ａは、前記浴槽１内の内側面部１ｄの傾斜角度θ１と略一致する傾斜角度
θ２を有しているので、入浴者Ｍの身体を、前記内側面部１ｄの延長部のように、支持さ
せることが出来る。
【００５６】
また、前記ヘッドレスト部材１３の後頭部支持部１３ａ及び前記係合突起部１５，１５
が、柔軟性を有する材料で、一体に形成されているので、構造が簡便なものとなり、安全
性，及び耐久性が良好で、しかも、安価に製造出来る。
【００５７】
しかも、前記係合突起部１５，１５が柔軟性を有しているので、浴室１０内の水分が多
い箇所でも、係脱着を容易に行うことが出来る。
【００５８】
また、この係合突起部１５，１５が、前記被係合凹部１４，１４に係合された状態では
、係合突起部１５，１５を挿入する際に押圧された分の弾性反発力が生じている。
【００５９】
この弾性反発力によって、この被係合凹部１４の内側面に、係合突起部１５の外側面が
弾接して、更に、係合を強固なものとすることが出来る。
【実施例２】
【００６０】
図４乃至図７は、この実施の形態の実施例２の浴室用可動ヘッドレストを示すものであ
る。
【００６１】
なお、前記実施例１の浴室用可動ヘッドレストと、同一乃至均等な部分については、同
一符号を付して、説明する。
【００６２】
まず、構成上の相違点から説明すると、この実施例２のヘッドレスト２１では、図４に
示すように、柔軟性を有する発泡合成樹脂材料によって一体となるように、波形に成型さ
れたヘッドレスト部材２３と、このヘッドレスト部材２３の裏面側に、設けられて被吸着
面部に吸着可能な複数の吸盤部材２２，２２と、発泡合成樹脂材料によって成型された略
円柱形状を呈する屈曲補助部材２４とを有して、主に構成されている。
【００６３】
このうち、前記ヘッドレスト部材２３には、前記波形の山部によって、主に構成される
複数の後頭部支持部２５…が複数並設されている。
【００６４】
これらの後頭部支持部２５，２５間には、前記波形の谷部によって、主に構成されて、
両側に位置する各後頭部支持部２５，２５間の接続角度を変更可能とするように屈曲可能
な屈曲部２６…が各々設けられている。
【００６５】
また、前記吸盤部材２２，２２は、前記後頭部支持部２５…のうち、このヘッドレスト
部材２３の両側縁部に位置する後頭部支持部２５，２５の裏面側２５ａ，２５ａに固着さ
れている。
【００６６】
そして、前記浴槽１の框部１ｂのうち、壁部１０ａ側の一側端１ｃの上方に延設される
浴室壁部１０ａの内側面１０ｂを被吸着面部として、前記各吸盤部材２２，２２を吸着さ
せている。  
【００６７】
次に、この実施例２の浴室用可動ヘッドレストの作用について説明する。
【００６８】
このように構成された実施例２の浴室用可動ヘッドレストでは、図６に示すように、前
記ヘッドレスト部材２３の屈曲部２６，２６を屈曲させて、両側に位置する各後頭部支持
部２５，２５の接続角度を変更すると、入浴者Ｍの頭部Ｈ等を支持するヘッドレスト形状
を呈するように、前記各後頭部支持部２５，２５が、任意の高さ位置に膨出される。
【００６９】
また、前記上，下両端部に位置する後頭部支持部２５，２５の裏面側２５ｂ，２５ｂに
設けられた各吸盤部材２２，２２を、前記一側端１ｃの上方に延設される浴室壁部１０ａ
の内側面１０ｂに吸着させて、固定することにより、前記屈曲部２６の屈曲によって形成
されたヘッドレスト形状の後頭部支持部２５が、所望の高さ位置に、固定出来る。
【００７０】
しかも、上，下両端部位置を前記各吸盤部材２２，２２によって、固定することにより
、前記ヘッドレスト形状をそのままの状態で、保持させることができる。
【００７１】
例えば、図５には、前記屈曲補助部材２４を用いているものが、図示されているが、こ
の屈曲補助部材２４が無い状態でも、一定のヘッドレスト形状に、保持させることができ
る。
【００７２】
このため、入浴者Ｍの身体の大きさに適合させて、ヘッドレスト部材２３の固定位置を
、上下位置に可変させることに加えて、前記後頭部支持部材２５の膨出させる箇所を変更
することにより、設定可能な範囲が広範囲になると共に、微少な調整も可能である。
【００７３】
したがって、前記後頭部支持部２５によって、後頭部ＨＢの下部等を支持させれば、入
浴者Ｍの体格差に拘わらず、浴槽１内で快適な入浴等の姿勢を取らせることができる。
【００７４】
また、このヘッドレスト２１は、前記浴室壁部１０ａから取り外せるので、清掃性が良
好で、常に清潔に保つことが出来る。
【００７５】
更に、前記屈曲補助部材２４が、前記後頭部支持部２５の裏面側と、前記浴室壁部１０
ａとの間に介在されて、前記屈曲部２６の屈曲によって形成されたヘッドレスト形状の後
頭部支持部２５，２５の膨出量を、更に、増大させる方向に可変させることができる。
【００７６】
従って、必要に応じて、前記屈曲補助部材２４を用いて、更に、快適な入浴姿勢を取ら
せることが出来る。
【実施例３】
【００７７】
また、図６に示すように、実施例３では、実施例２のヘッドレスト部材２３を用いて、
前記屈曲部２６…を各々伸ばした状態で、前記壁部１０ａ側の一側端１ｃの上方に延設さ
れる浴室壁部１０ａの内側面１０ｂを被吸着面部として、前記各吸盤部材２２，２２を吸
着させている。
【００７８】
このように構成された実施例３のヘッドレスト部材２３では、前記後頭部支持部２５…
を柔軟性を有する材料で構成することにより、入浴者Ｍの頭部Ｈのクッションとして用い
ることができる。
【００７９】
他の構成、及び作用効果については、前記実施例２と略同様であるので、説明を省略す
る。  
【実施例４】
【００８０】
また、図７に示すように、実施例４では、実施例２のヘッドレスト部材２３を用いて、
前記浴槽１の内側面部１ｄ及び前記腰掛段部１ｅを被吸着面部として、前記各吸盤部材２
２，２２を吸着させて、固定している。
【００８１】
このように構成された実施例４のヘッドレスト部材２３では、前記ヘッドレスト部材２
３が、前記各吸盤部材２２，２２を用いて、前記浴槽１の内側面部１ｄ及び前記腰掛段部
１ｅに吸着させて、固定されている。
【００８２】
このため、浴槽１内に湯水が満たされていても、安定させて、前記ヘッドレスト部材２
３を、所望の形状を保持したまま、固定できる。
【００８３】
このように、浴槽１内の内側面部１ｄ等に、前記吸盤部材２２，２２を、吸着させて、
固定可能であるので、例えば、入浴者Ｍの腰当て等、入浴姿勢を安定させる補助具として
用いることができる。
【００８４】
他の構成、及び作用効果については、前記実施例２又は３と略同様であるので、説明を
省略する。
【００８５】
以上、図面を参照して、本発明の実施の形態を詳述してきたが、具体的な構成は、この
実施の形態に限らず、本発明の要旨を逸脱しない程度の設計的変更は、本発明に含まれる
。
【００８６】
即ち、前記実施例４では、前記屈曲補助部材２４を用いていないものを示して説明して
きたが、特にこれに限らず、例えば、前記屈曲補助部材２４を、前記後頭部支持部２５の
裏面側と、前記浴槽１の内側面部１ｄとの間に介在させて、前記屈曲部２６の屈曲によっ
て形成されたヘッドレスト形状の後頭部支持部２５，２５の膨出量を、更に、増大させる
方向に可変させてもよい。
【００８７】
この際、前記屈曲補助部材２４が、例えば、発泡ウレタン等の発泡性合成樹脂材料等で
構成されていても、前記ヘッドレスト部材２３の上，下端部が、前記吸盤部材２２，２２
で、固定されているので、浮上する虞がない。
【図面の簡単な説明】
【００８８】
【図１】この発明の実施の形態の実施例１の浴室用可動ヘッドレストで、全体の構成を説明する一部断面斜視図である。
【図２】この発明の実施の形態の実施例１の浴室用可動ヘッドレストで、へッドレスト部材の対向面部側の構成を説明する斜視図である。
【図３】この発明の実施の形態の実施例１の浴室用可動ヘッドレストで、入浴者の入浴姿勢を説明する模式的な側面図である。
【図４】実施の形態の実施例２の浴室用可動ヘッドレストで、ヘッドレスト部材及び屈曲補助部材の斜視図である。
【図５】実施例２の浴室用可動ヘッドレストで、使用状態の一例を示す模式的な側面図である。
【図６】実施例３の浴室用可動ヘッドレストで、使用状態の他の例を示す模式的な側面図である。
【図７】実施例４の浴室用可動ヘッドレストを腰当てとして用いる一例を示す模式的な側面図である。
【図８】従来例の浴室用ヘッドレストで、全体の構成を説明する斜視図である。
【図９】従来例の浴室用ヘッドレストで、要部の構成を説明する模式的な側面図である。
【符号の説明】
【００８９】
１              浴槽
１ａ            上部開口部
１ｂ            框部
１ｄ            内側面部
１１，２１      ヘッドレスト
１２            台座部材
１２ａ          装着面部
１３，２３      ヘッドレスト部材
１３ａ，２５    後頭部支持部
１３ｂ          対向面部
１４，１４      被係合凹部
２２，２２      吸盤部材
２４            屈曲補助部材
２６            屈曲部
Ｍ              入浴者
Ｈ              頭部
ＨＢ            後頭部
【図１】
2006081628.tif 000003
【図２】
2006081628.tif 000004
【図３】
2006081628.tif 000005
【図４】
2006081628.tif 000006
【図５】
2006081628.tif 000007
【図６】
2006081628.tif 000008
【図７】
2006081628.tif 000009
【図８】
2006081628.tif 000010
【図９】
2006081628.tif 000011